(57)【要約】      （修正有）【課題】地図や羅針盤等を使用せずに、特定場所（イスラム教のメッカ）の方向を精度よく指示できる携帯型装置を開示する。【解決手段】本発明に係る携帯型装置は、特定場所の方向を探索するための方向探索命令及び現在地の都市情報の設定を使用者から入力されるための入力部と、地磁気を検出する地磁気センサーと、全世界の主要都市と前記特定場所間の方向関連情報を有する格納部と、前記特定場所の方向及び前記装置の方向を画面に表示する第１のディスプレイ、及び前記入力部から前記方向探索命令が伝わると、前記地磁気センサーを介して検出された前記地球方位情報及び前記入力部を介して設定された前記現在地の都市情報と前記格納部に格納されている前記特定場所間の方向情報に基づき、システムの方向及び前記特定場所の方向を前記第１のディスプレイに表示する制御部と、を含む。【選択図】図２
2004233365.tif 000002
【特許請求の範囲】
【請求項１】
特定場所の方向を探索するための方向探索命令及び現在地の都市情報の設定を使用者から入力されるための入力部と；
地磁気を検出する地磁気センサーと；
全世界の主要都市と前記特定場所間の方向関連情報を有する格納部と；
前記特定場所の方向及び前記装置の方向を画面に表示する第１のディスプレイ；及び
前記入力部から前記方向探索命令が伝わると、前記地磁気センサーを介して検出された前記地球方位情報及び前記入力部を介して設定された前記現在地の都市情報と前記格納部に格納されている前記特定場所間の方向情報に基づき、システムの方向及び前記特定場所の方向を前記第１のディスプレイに表示する制御部と；
を含むことを特徴とする特定場所の方向が表示可能な携帯型装置。
【請求項２】
前記入力部は、マウス、タッチスクリーン、キー、キーボード、及びマイクロホンの少なくとも１つを含むことを特徴とする請求項１に記載の携帯型装置。
【請求項３】
前記制御部により制御され、前記装置の方向と前記特定場所の方向とが一致するとアラームを発する第２のディスプレイを更に含むことを特徴とする請求項１に記載の携帯型装置。
【請求項４】
前記第２のディスプレイは、ＬＥＤ、スピーカー、及び前記第１のディスプレイの少なくとも１つを含むことを特徴とする請求項３に記載の携帯型装置。
【請求項５】
ネットワークを介して接続された設定時間通報サーバーと通信するためのデータ送・受信部を更に含み、前記制御部は、前記送・受信部を介して前記設定時間通報サーバーから設定時間が通報されると、前記第２のディスプレイからアラームを発し、前記地球方位による前記特定場所の方向及び前記装置の方向表示を自動で行うことを特徴とする請求項４に記載の携帯型装置。
【請求項６】
前記制御部は、前記入力部を介して前記特定場所の方向を探索するためのモード選択の時、前記現在地の都市情報が設定可能な画面を前記第１のディスプレイに表示することを特徴とする請求項１に記載の特定場所の方向が表示可能な携帯型装置。
【請求項７】
前記制御部は、前記現在地の都市情報設定画面に大陸選択メニューを提供し、選択された大陸の下位メニューとして大陸に含まれた主要都市メニューを提供することを特徴とする請求項６に記載の特定場所の方向が表示可能な携帯型装置。
【請求項８】
前記制御部は、前記現在地の都市情報設定画面に前記現在地の都市情報の設定完了を指示されるための設定完了ボタンを更に提供することを特徴とする請求項７に記載の特定場所の方向が表示可能な携帯型装置。
【請求項９】
全世界の主要都市と特定場所間の方向関連情報を設定するステップと；
使用者により選択された現在地の都市情報を設定するステップと；
地球方位を検出するステップ；及び
方向探索命令が伝わると、前記地球方位情報及び前記設定された現在地の都市情報と前記特定場所間の方向関連情報に基づき、装置の方向及び前記特定場所の方向を第１のディスプレイの画面に表示するステップと；
を含むことを特徴とする特定場所の方向が表示可能な携帯型装置の制御方法。
【請求項１０】
前記方向探索命令及び前記現在地の都市情報の設定は、マウス、タッチスクリーン、キー、キーボード、及びマイクロホンの少なくとも１つを介して入力された入力信号により判断することを特徴とする請求項９に記載の特定場所の方向が表示可能な携帯型装置の制御方法。
【請求項１１】
前記装置の方向と前記特定場所の方向とが一致するとアラームを発するステップを更に含むことを特徴とする請求項９に記載の特定場所の方向が表示可能な携帯型装置の制御方法。
【請求項１２】
前記アラーム発生ステップでは、ＬＥＤ、スピーカー、及び前記第１のディスプレイの少なくとも１つからアラームを発することを特徴とする請求項１１に記載の特定場所の方向が表示可能な携帯型装置の制御方法。
【請求項１３】
ネットワークを介して接続された設定時間通報サーバーと通信するステップ；及び
前記設定時間通報サーバーから設定時間が通報されると、アラームを発し、前記地球方位による前記特定場所の方向及び前記装置の方向表示を自動で行うステップと；
を更に含むことを特徴とする請求項１２に記載の特定場所の方向が表示可能な携帯型装置の制御方法。
【請求項１４】
前記現在地の都市情報を設定するステップは、前記特定場所の方向を探索するためのモード選択の時、前記現在地の都市情報が設定可能な画面を提供することを特徴とする請求項９に記載の特定場所の方向が表示可能な携帯型装置の制御方法。
【請求項１５】
前記現在地の都市情報を設定できるように画面を提供するステップは、
前記現在地の都市情報設定画面に大陸選択メニューを提供するステップ；及び
前記選択された大陸の下位メニューとして大陸に含まれた主要都市メニューを提供するステップと；
を含むことを特徴とする請求項１４に記載の特定場所の方向が表示可能な携帯型装置の制御方法。
【請求項１６】
特定場所の方向を探索するためのモード及び方向探索命令を入力されるための入力部と；
地磁気を検出する地磁気センサーと；
インターネットに接続された位置情報提供サーバーと通信するためのデータ送・受信部と；
全世界の主要都市と前記特定場所間の方向情報を有する格納部と；
前記特定場所の方向及び前記装置の方向を画面に表示する第１のディスプレイと；
前記入力部から前記方向探索命令が伝わると、前記地磁気センサーを介して検出された前記地球方位情報及び前記送・受信部を介して前記位置情報提供サーバーから提供された前記現在地情報と前記格納部に格納されている前記特定場所間の方向情報に基づき、前記装置の方向及び前記特定場所の方向を前記ディスプレイに表示する制御部と；
を含むことを特徴とする携帯型装置。
【請求項１７】
前記入力部は、マウス、タッチスクリーン、キー、キーボード、及びマイクロホンの少なくとも１つを含むことを特徴とする請求項１６に記載の携帯型装置。
【請求項１８】
前記制御部により制御され、前記装置の方向と前記特定場所の方向とが一致するとアラームを発する第２のディスプレイを更に含むことを特徴とする請求項１６に記載の携帯型装置。
【請求項１９】
前記第２のディスプレイは、ＬＥＤ、スピーカー、及び前記第１のディスプレイの少なくとも１つを含むことを特徴とする請求項１８に記載の携帯型装置。
【請求項２０】
前記制御部は、前記送・受信部を介してインターネットに接続された設定時間通報サーバーから設定時間が通報されると、前記第２のディスプレイからアラームを発し、前記地球方位による前記特定場所の方向及び前記装置の方向表示を自動で行うことを特徴とする請求項１９に記載の携帯型装置。
【請求項２１】
全世界の主要都市と特定場所間の方向関連情報を設定するステップと；
ネットワークを介して接続された位置情報提供サーバーと通信して現在地の都市情報を設定するステップと；
地球方位を検出するステップ；及び
方向探索命令が伝わると、前記地球方位情報及び前記位置情報提供サーバーから受信した前記現在地の都市情報と前記特定場所間の方向関連情報に基づき、装置の方向及び前記特定場所の方向を第１のディスプレイの画面に表示するステップと；
を含むことを特徴とする特定場所の方向が表示可能な携帯型装置の制御方法。
【請求項２２】
前記方向探索命令及び前記現在地の都市情報の設定は、マウス、タッチスクリーン、キー、キーボード、及びマイクロホンの少なくとも１つを介して入力される入力信号により判断することを特徴とする請求項２１に記載の携帯型装置の制御方法。
【請求項２３】
前記装置の方向と前記特定場所の方向とが一致すると、アラームを発するステップを更に含むことを特徴とする請求項２１に記載の携帯型装置の制御方法。
【請求項２４】
前記アラームは、ＬＥＤ、スピーカー、及び前記第１のディスプレイの少なくとも１つから発することを特徴とする請求項２３に記載の携帯型装置の制御方法。
【請求項２５】
ネットワークを介して接続された設定時間通報サーバーと通信するステップ；及び
前記設定時間通報サーバーから設定時間が通報されると、アラームを発し、前記地球方位による前記特定場所の方向及び前記装置の方向表示を自動で行うステップと；
を更に含むことを特徴とする請求項２４に記載の携帯型装置の制御方法。
【発明の詳細な説明】
【技術分野】
【０００１】
本発明は、ディスプレイを有する携帯型装置に関し、特に、特定場所の方向を指示することができる携帯型装置及びその制御方法に関する。
【背景技術】
【０００２】
世界人口の約２０％の１２億に達するモスレムら（イスラム教徒）は、５つの重要な宗教的な義務を有する。それは、1)Ｓｈａｈａｄａ（信仰告白）、2) Ｓａｌａｔ（一日５回の礼拝）、3) Ｓａｋａｔ（喜捨）、4) Ｓａｕｍ（斎戒）、5) Ｈａｊｊ（メッカへの大巡礼）であり、そのうち、一日５回の礼拝は、モスレムらにとっては日課において最も重要な時間であるといえる。
一日５回の礼拝（Ｓａｌａｔ）は、早朝の礼拝、正午過ぎの礼拝、遅い午後の礼拝、日没後の礼拝、そして夜の就寝前の礼拝であって、礼拝をする時は、靴をぬぎ、手足を洗って洗顔をもって欠礼をした後にメッカに向かってお祈りを捧げる。
【０００３】
メッカは、サウジアラビアに所在する都市であって、イスラム教徒らの聖地とされるカアバ（Ｋａ¢ｂａ）がある。イスラム教徒らは、全世界のどこからも礼拝の時間になると、かれらの聖地があるカアバに向かってお祈りを捧げるのである。カアバは、正立方体形状をなしており、その角部は、羅針盤の方位と一致するように精度よく合わせられている。
従って、イスラム教徒らは、常時羅針盤と地図を持ち歩くことを当然視している。
一方、最近、携帯電話、ＰＤＡ（Ｐｅｒｓｏｎａｌ Ｄｉｇｉｔａｌ Ａｓｓｉｓｔａｎｃｅ）、ノートブック、ＣＤプレーヤー、ＭＰ３プレーヤー等のような携帯型装置が広く普及している。特に、他の装置との通信が可能な携帯型装置の場合には、その用途が通信だけに限らずに多様な用途への利用のための研究開発が持続して行われている。
【０００４】
また、全世界のどこからも携帯型装置を介してインターネットが利用できるようにインフラが構築されつつあることに伴い、地理情報システム（ＧＩＳ）、衛星測位システム（ＧＰＳ）等を用いてインターネットサービスを行う業者が続々と登場しており、使用者は、かかる多様なサービスを通じて生活の質をより高めることができるようになった。
しかし、前記のような各種の携帯型装置の開発及び多様なインターネットサービスの提供にもかかわらず、前述したように特定場所に向かって宗教儀式を行うイスラム教徒らの場合には、常時地図や羅針盤を持ち歩かなければならず、また、日課において自分の義務と思う礼拝の儀式の時を逃さないように常に時間に気を配らなければならないという煩わしさがある。
【０００５】
更に、最近電子羅針盤等が開発されたが、電子羅針盤技術は、単に現在地から北方向を指示するのみであって、自分の現在地からメッカ方向を探すためには、必ず地図を携帯しなければならないという不具合がある。
【発明の開示】
【発明が解決しようとする課題】
【０００６】
本発明は、前記のような問題点を解決するためになされたものであって、その目的は、全世界のどこからも使用者の所望する特定場所の方向を指示し、且つ、使用者に対し精度よく所望する方向の認識を可能にする携帯型装置及びその制御方法を提供することである。
【課題を解決するための手段】
【０００７】
前記目的を達成するための本発明の携帯型装置は、特定場所の方向を探索するための方向探索命令及び現在地の都市情報の設定を使用者から入力されるための入力部と、地磁気を検出する地磁気センサーと、全世界の主要都市と前記特定場所間の方向関連情報を有する格納部と、前記特定場所の方向及び前記装置の方向を画面に表示する第１のディスプレイ、及び前記入力部から前記方向探索命令が伝わると、前記地磁気センサーを介して検出された前記地球方位情報及び前記入力部を介して設定された前記現在地の都市情報と前記格納部に格納されている前記特定場所間の方向情報に基づき、前記システムの方向及び前記特定場所の方向を前記ディスプレイに表示する制御部と、を含む。
【０００８】
前記入力部は、マウス、タッチスクリーン、キー、キーボード、及びマイクロホンの少なくとも１つを含む。
前記制御部は、前記装置の方向と前記特定場所の方向とが一致すると、第２のディスプレイからアラームを発する。このとき、前記第２のディスプレイは、ＬＥＤ、スピーカー、及び前記第１のディスプレイの少なくとも１つを含む。
また、前記携帯型装置は、ネットワークを介して接続された設定時間通報サーバーと通信するためのデータ送・受信部を更に含み、前記制御部は、前記送・受信部を介して前記設定時間通報サーバーから設定時間が通報されると、前記第２のディスプレイからアラームを発しながら、前記地球方位による前記特定場所の方向及び前記装置の方向表示を自動で行う。
【０００９】
前記制御部は、前記入力部を介して前記特定場所の方向を探索するためのモード選択の時、前記現在地の都市情報が設定可能な画面を前記ディスプレイに提供する。そして、前記制御部は、前記現在地の都市情報の設定が完了すると、前記地球方位による前記特定場所の方向及び前記装置の方向表示を行う。または、前記制御部は、前記現在地の都市情報設定を完了した後は、設定情報を格納した後、使用者が前記特定場所の方向探索モードの選択時に提供されるメニューから方向探索命令を選択すると、方向探索過程を通じて前記特定場所の方向及び前記装置の方向表示を行うことができる。
【００１０】
一方、前記制御部は、前記現在地の都市情報設定画面には大陸選択メニューを提供し、選択された大陸の下位メニューとして大陸に含まれた主要都市メニューを提供する。前記現在地の都市情報設定画面には、前記現在地の都市情報の設定完了を指示されるための設定完了ボタンを更に提供する。
前記目的を達成するための本発明に係る携帯型装置の制御方法は、全世界の主要都市と特定場所間の方向関連情報を設定するステップと、使用者により選択された現在地の都市情報を設定するステップと、地球方位を検出するステップ、及び方向探索命令が伝わると、前記地球方位情報及び前記設定された現在地の都市情報と前記特定場所間の方向関連情報に基づき、前記装置の方向及び前記特定場所の方向を第１のディスプレイに表示するステップと、を含む。
【００１１】
前記方向探索命令及び前記現在地の都市情報の設定は、マウス、タッチスクリーン、キー、キーボード、及びマイクロホンの少なくとも１つからの入力信号により判断する。
また、前記携帯型装置の制御方法は、前記装置の方向と前記特定場所の方向とが一致すると、第２のディスプレイからアラームを発するステップを更に含む。第２のディスプレイは、ＬＥＤ、スピーカー、及び前記第１のディスプレイの少なくとも１つである。
また、前記携帯型装置の制御方法は、ネットワークを介して接続された設定時間通報サーバーと通信するステップ、及び前記設定時間通報サーバーから設定時間が通報されると、前記第２のディスプレイからアラームを発し、前記地球方位による前記特定場所の方向及び前記装置の方向表示を自動で行うステップを更に含む。
【００１２】
前記現在地の都市情報を設定するステップは、前記特定場所の方向を探索するためのモード選択の時、前記現在地の都市情報が設定可能な画面を提供するステップを含む。そして、前記現在地の都市情報を設定できるように画面を提供するステップは、前記現在地の都市情報設定画面に大陸選択メニューを提供するステップ、及び前記選択された大陸の下位メニューとして大陸に含まれた主要都市メニューを提供するステップと、を含む。
前記目的を達成するための本発明の携帯型装置は、特定場所の方向を探索するためのモード及び方向探索命令を入力されるための入力部と、地磁気を検出する地磁気センサーと、ネットワークを介して接続された位置情報提供サーバーと通信するためのデータ送・受信部と、全世界の主要都市と前記特定場所間の方向情報を有する格納部と、前記特定場所の方向及び前記装置の方向を画面に表示する第１のディスプレイ、及び前記入力部から前記方向探索命令が伝わると、前記地磁気センサーを介して検出された前記地球方位情報及び前記送・受信部を介して前記位置情報提供サーバーから提供された前記現在地情報と前記格納部に格納されている前記特定場所間の方向情報に基づき、システムの方向及び前記特定場所の方向を前記ディスプレイに表示する制御部と、を含む。
【００１３】
前記制御部は、前記送・受信部を介して設定時間通報サーバーから設定時間が通報されると、前記第２のディスプレイからアラームを発し、前記地球方位による前記特定場所の方向及び前記装置の方向表示を自動で行う。
前記目的を達成するための本発明に係る携帯型装置の制御方法によると、全世界の主要都市と特定場所間の方向関連情報を設定するステップと、ネットワークを介して接続された位置情報提供サーバーと通信して現在地の都市情報を設定するステップと、地球方位を検出するステップ、及び方向探索命令が伝わると、前記地球方位情報及び前記送・受信部を介して受信した現在地の都市情報と前記特定場所間の方向関連情報に基づき、前記システムの方向及び前記特定場所の方向を第１のディスプレイの画面に表示するステップと、を含む
また、前記携帯型装置の制御方法は、前記ネットワークを介して接続された設定時間通報サーバーと通信するステップ、及び前記設定時間通報サーバーから設定時間が通報されると、前記第２のディスプレイからアラームを発し、前記地球方位による前記特定場所の方向及び前記装置の方向表示を自動で行うステップと、を更に含む。
【００１４】
以上で説明した本発明に係る携帯型装置によると、使用者が設定した時間または所望する時に装置の方向及び特定場所の方向を指示し、両方向の一致によるアラームを通じて使用者に対しより精度よい方向の認識を可能にする。
【発明の効果】
【００１５】
前記のような本発明の携帯型装置及びその制御方法によると、設定した時間にアラームを鳴らすことができるのみならず、特定場所の方向を精度よく指示することができるため、時間の経過に気を配らなければならなかった不便さや地図と羅針盤の利用熟知による不便及び不安、並びに携帯による不便等の諸問題点を解消することができる。
特に、イスラム教徒らには、一日５回の礼拝の時間を想起させることができ、メッカ方向の精度よい指示により宗教儀式をスムーズに行うことができるようにする。
【発明を実施するための最良の形態】
【００１６】
以下、添付した図面を参照して本発明をより詳細に説明する。
図１は、本発明の実施例による携帯型装置のブロック図である。装置は、入力部１１０、地磁気センサー１２０、データ格納部１３０、送・受信部１４０、ディスプレイ１５０、及び制御部１６０を含む。また、装置は、センサー駆動部１２２、増幅器（ＡＭＰ）１２４、ノイズフィルター１２６、及びアナログ／デジタル変換器（Ａ／Ｄ）１２８を更に含む。
入力部１１０は、使用者から入力道具を介して選択された命令及び選択事項を入力される。使用者の入力道具としては、マウス、タッチスクリーン、キー、キーボード、マイクロホンの少なくとも１つを使用することができる。マイクロホンでは、使用者が自分の現在地の都市情報を音声で設定することができる。
【００１７】
地磁気センサー１２０は、制御部１６０の制御下で地球の磁気を検出する。地磁気センサー１２０を駆動するためにセンサー駆動部１２２が用いられ、地磁気センサー１２０から検出された信号を浄化するために増幅器１２４及びノイズフィルター１２６が用いられる。また、ノイズフィルター１２６を介して出力されたアナログ信号をデジタル信号に変換するためにアナログ／デジタル変換器１２８が用いられる。
データ格納部１３０は、全世界の主要都市と前記特定場所（例えば、メッカ）間の方向関連情報を有する。
【００１８】
送・受信部１４０は、制御部１６０の制御下で基地局（図示せず）または低軌道運行衛星とデータのやり取りを行う。
ディスプレイ１５０は、ＬＣＤ１５２、スピーカー１５４、ＬＥＤ１５６等を備える。ＬＣＤ１５２は、制御部１６０の制御下で使用者が自分の現在地の都市情報を設定可能な画面を表示する。また、特定場所の方向及びシステムの方向を指示する画面を表示する。スピーカー１５４は、特定場所の方向とシステムの方向とが一致する場合、使用者に音声にてアラームを表示する。ＬＥＤ１５６も同じく、特定場所の方向とシステムの方向とが一致する場合、使用者にアラームを表示するのに用いられる。また、ＬＣＤの場合にも、制御部の制御下で点滅、またはポップアップ表示等を通じてアラームを行うことができる。また、ディスプレイ１５０としては、入力及び出力兼用のタッチスクリーンを用いることができ、ＬＣＤ１５２の他にも画面表示を行ない得る各種の道具を用いることができる。
【００１９】
制御部１６０は、地磁気センサー１２０を介して検出された地球の方位に基づいてシステムの方向を算出するシステム方向算出部１６２等を含み、入力検知、地磁気センサー１２０の駆動、データ格納部１３０からのデータの読出等といったシステムの全般を制御する。
図２は、図１に示す携帯型装置の動作に対する一例を説明するフローチャートである。制御部１６０は、入力部１１０を介して特定場所の方向を表示するためのモードが選択されると（Ｓ２１０）、現在地の都市情報を設定することができる画面をＬＣＤ１５２に表示する（Ｓ２２０）。この時、現在地の都市情報設定画面には、図５に示すように大陸選択メニューを提供し、選択された大陸５１０の下位メニューとして大陸に含まれた主要都市メニュー５２０を提供することができる。また、現在地の都市情報設定画面には、現在地の都市情報の設定完了を指示されるための確認（ＯＫ）、取消（ＣＡＮＣＥＬ）、及び適用（ＡＰＰＬＹ）ボタンを更に提供することができる。そして、制御部１６０は、現在地の都市情報設定画面（図５）から国家または都市５２０が選択され、設定が完了すると（Ｓ２３０）、センサー駆動部１２２で地磁気センサー１２０を駆動して地球の方位を検出し、システムの方向を検出（Ｓ２４０）する。さらに、データ格納部１３０に格納されている特定場所（例えば、メッカ）と現に設定された都市間の方向関連情報を読み出し、検出された地球の方位によってシステムのヘッド方向及び特定場所の方向を、図６に示すように指示子６１０、６２０にて画面に表示する（Ｓ２５０）。図６には、現に設定された都市に関するメッセージが更に表示されている。以降、使用者がシステムのヘッド方向を回転させると（Ｓ２６２）、制御部１６０は連続してシステムのヘッド方向の検出結果を画面に表示し、画面に表示されたシステムのヘッド方向と特定場所の指示方向とが一致する時（Ｓ２６０）、アラームを発する（Ｓ２７０）。この時、アラームは、様々な方法で表示することができる。例えば、ＬＥＤ１５６の点滅によりアラームを表示することができ、スピーカー１５４を介して音声にてアラームを表示することができる。また、ＬＣＤ１５６の画面で特定場所の方向指示子を点滅させたり、ポップアップ窓等を表示したりすることでアラームを表示することもできる。図７は、システムのヘッド方向指示子及び特定場所の方向指示子とが相互一致した状態を示している。
【００２０】
さらに、本発明の携帯型装置では、前記図２の過程を行なう前に、インターネットに接続された設定時間通報サーバー（図示せず）から設定時間通報メッセージを受信するとアラームを発することができる。そして、使用者の現在地を設定可能な現在地の都市情報設定画面（図５）を自動で表示する。より具体的には、ネットワークを介して接続された設定時間通報サーバーとデータ送・受信部１４０により通信を行う。そして、送・受信部１４０により設定時間通報サーバーから設定時間が通報されると、制御部１６０はディスプレイからアラームを発し、地球方位による特定場所の方向及びシステムの方向表示を自動で行う。図４は、図１に示す携帯型装置において近接基地局を介して設定時間通報サーバーから設定時間通報メッセージを受信した時の動作を示すフローチャートである。図２と異なる点は、設定時間通報メッセージの受信結果（Ｓ４１０）によるアラーム発生過程（Ｓ４２０）が更に加わっている点である。その他の動作は図２の説明と同一であり、図２のＳ２２０、Ｓ２３０、Ｓ２４０、Ｓ２５０、Ｓ２６０、Ｓ２６２、Ｓ２７０がそれぞれ図４のＳ４３０、Ｓ４４０、Ｓ４５０、Ｓ４６０、Ｓ４７０、Ｓ４７２、Ｓ４８０に対応している。他の実施例として、本発明の携帯型装置では、図２の過程を行なう前に、インターネットに接続された設定時間通報サーバーから設定時間通報メッセージを受信するとアラームだけを発し、他の過程は図２の過程を行なうこともできる。即ち、使用者により特定場所の方向表示モードが選択された時、設定画面を表示することができる。
【００２１】
図３は、図１に示す携帯型装置のまた他の動作方法を説明するフローチャートである。制御部１６０は、入力部１１０を介して特定場所の方向を表示するためのモードが選択されると（Ｓ３１０）、送・受信部１４０を介してＧＰＳ用低軌道運行衛星または近接基地局と交信してインターネットに接続された位置情報提供サーバー（図示せず）からシステムの現在地情報について問い合わせる（Ｓ３２０）。なお、随時に交信する場合は、図３からＳ３１０の過程が省かれる。以降、位置情報提供サーバーから現在地情報が受信されると（Ｓ３３０）、受信された現在地情報を記憶する（Ｓ３４０）。後で使用者から入力部１１０を介して方向探索命令が入力されると（Ｓ３５０）、センサー駆動部１２２で地磁気センサー１２０を駆動して地球の方位を検出し、システムの方向を検出する（Ｓ３６０）。一方、データ格納部１３０に格納されている特定場所（例えば、メッカ）と位置情報提供サーバーから受信された現在地情報に基づいて得た都市情報間の方向関連情報を読み出し、検出された地球の方位情報によってシステムのヘッド方向指示子（６１０）及び特定場所の方向指示子（６２０）を、図６に示すように画面に表示する（Ｓ３７０）。図６には、現に設定された都市に関するメッセージが画面の下段部に更に表示されている。以降、使用者がシステムを回転させると（Ｓ３８２）、制御部１６０は連続してシステムのヘッド方向の検出結果を画面に表示する。そして、画面に表示されたシステムのヘッド方向指示子（６１０）と特定場所の方向指示子（６２０）とが一致すると（Ｓ３８０）、アラームを発する（３９０）。図７は、システムのヘッド方向指示子（６１０）と特定場所の方向指示子（６２０）とが相互一致した状態を示している。
【００２２】
一方、前記図３に示すように現在地の都市情報設定画面（図５）を自動で表示する場合には、、制御部１６０は、図４から破線で囲まれた＠の過程を省いて行なう。即ち、図４においてインターネットに接続された設定時間通報サーバーから設定時間通報メッセージを受信すると（Ｓ４１０）、アラームを発し（Ｓ４２０）、Ｓ４３０及びＳ４４０の課程を省略し、次にＳ４５０過程を通じてシステムの方向及び特定場所の方向を表示する機能を自動で行なうことができる（Ｓ４６０）。つまり、図４の過程は、図３の過程に設定時間通報メッセージの受信結果（Ｓ４１０）によるアラーム発生過程（Ｓ４２０）が更に加わっており、使用者により入力される方向探索命令の入力過程＠が省かれている。他の動作は、図３の過程と同一であるので説明を省略する。
【００２３】
前記のような本発明の携帯型装置において、図２の動作は、別の通信機能を備えていないが使用者に特定場所の方向が指示可能な各種の装置に適用することができ、図３の動作は、通信機能付きの各種の装置に適用することができる。そして、通信機能付きの装置の場合、より様々なサービスの提供が可能であることが分かる。
以上では、本発明の好適な実施例について説明したが、本発明は、上述した特定の実施例に限定されるものではなく、請求の範囲で請求する本発明の要旨を逸脱することなく当該発明の属する技術分野における通常の知識を有する者であれば誰でも各種の変更実施が可能であることはもとより、そのような変更は、請求の範囲記載の範囲内にあることが自明である。
【産業上の利用可能性】
【００２４】
特定場所に向かって宗教儀式を行なうイスラム教徒らの場合、信念上の理由から一日５回メッカに向かってお祈りを捧げる。本発明によると、かかるイスラム教徒らの場合のように特定場所に対する方位が知りたい場合に備えて、地図等を別に備えていなくても方位を指示する装置を提供することができる。
【図面の簡単な説明】
【００２５】
【図１】本発明の実施例による携帯型装置のブロック図である。
【図２】図１に示す携帯型装置の動作に対する一実施例を説明するフローチャートである。
【図３】図１に示す携帯型装置の動作に対するまた他の一実施例を説明するフローチャートである。
【図４】図１に示す携帯型装置の動作に対するまた他の一実施例を説明するフローチャートである。
【図５】図２の現在地の都市情報設定画面の一例を示す図である。
【図６】図３または図４の過程による特定場所の方向及びシステムの方向の表示例を示す図である。
【図７】図６の状態からシステムの回転による特定場所の方向とシステムの方向との一致状態の表示例を示す図である。
【符号の説明】
【００２６】
１１０   入力部
１２０   地磁気センサー
１２２   センサー駆動部
１２４   増幅器（ＡＭＰ）
１２６   ノイズフィルター
１２８   アナログ／デジタル変換器（Ａ／Ｄ）
１３０   データ格納部     
１４０   送・受信部
１５０   ディスプレイ
１５２   ＬＣＤ
１５４   スピーカー
１５６   ＬＥＤ
１６０   制御部
１６２   システム方向算出部
【図１】
2004233365.tif 000003
【図２】
2004233365.tif 000004
【図３】
2004233365.tif 000005
【図４】
2004233365.tif 000006
【図５】
2004233365.tif 000007
【図６】
2004233365.tif 000008
【図７】
2004233365.tif 000009